(57)【要約】【課題】トナーの定着時にヒータの点灯による電圧フリッカを抑制すると共に、ヒータの電力消費量を効果的に削減する電源制御装置、印刷装置、方法およびプログラムを提供すること。【解決手段】本発明の電源制御装置は、画像情報に基づいて、加熱装置によって印刷媒体上の画像領域が加熱され、かつ、非画像領域が加熱されないように、加熱装置の点灯タイミングおよび消灯タイミングを算出する。そして、本発明の電源制御装置は、当該点灯タイミングおよび消灯タイミングで駆動する加熱装置が消費する電力の変化量を算出し、電力の変化量を最大にする複数の加熱装置を特定して複数のグループに分類し、分類した加熱装置の点灯タイミングおよび消灯タイミングをグループ毎に変更する。【選択図】  図２
2015059992.tif 000002
【特許請求の範囲】
【請求項１】
定着装置と、当該定着装置を加熱する複数の加熱装置と備える印刷装置の電力供給を制御する電源制御装置であって、
画像情報に基づいて、前記加熱装置によって印刷媒体上の画像領域が加熱され、かつ、非画像領域が加熱されないように、加熱装置の点灯タイミングおよび消灯タイミングを算出するタイミング算出手段と、
前記点灯タイミングおよび消灯タイミングで駆動する加熱装置が消費する電力の変化量を算出する電力変化量算出手段と、
電力の変化量が所定の閾値を超える場合に、電力の変化量を最大にする複数の加熱装置を特定して複数のグループに分類する分類手段と、
分類した加熱装置の点灯タイミングおよび消灯タイミングをグループ毎に変更するタイミング変更手段と
を備える、電源制御装置。
【請求項２】
前記電源制御装置は、
加熱装置の点灯時間が当初の点灯時間よりも長くならないように、点灯時間を最適化する最適化手段をさらに備える、請求項１に記載の電源制御装置。
【請求項３】
前記タイミング算出手段は、
前記加熱装置によって非画像領域が加熱されないように、加熱装置の点灯タイミングおよび消灯タイミングを算出する代わりに、前記非画像領域が所定温度に維持されるように、加熱装置の点灯タイミングおよび消灯タイミングを算出することを特徴とする請求項１または２に記載の電源制御装置。
【請求項４】
請求項１〜３のいずれか１項に記載の電源制御装置を備える印刷装置。
【請求項５】
定着装置と、当該定着装置を加熱する複数の加熱装置と備える印刷装置の電力供給を制御する電源制御装置が実行する方法であって、
画像情報に基づいて、前記加熱装置によって印刷媒体上の画像領域が加熱され、かつ、非画像領域が加熱されないように、加熱装置の点灯タイミングおよび消灯タイミングを算出するステップと、
前記点灯タイミングおよび消灯タイミングで駆動する加熱装置が消費する電力の変化量を算出するステップと、
電力の変化量が所定の閾値を超える場合に、電力の変化量を最大にする複数の加熱装置を特定して複数のグループに分類するステップと、
分類した加熱装置の点灯タイミングおよび消灯タイミングをグループ毎に変更するステップと
を含む、方法。
【請求項６】
前記方法は、
加熱装置の点灯時間が当初の点灯時間よりも長くならないように、点灯時間を最適化するステップをさらに含む、請求項５に記載の方法。
【請求項７】
前記点灯タイミングおよび消灯タイミングを算出するステップは、
前記加熱装置によって非画像領域が加熱されないように、加熱装置の点灯タイミングおよび消灯タイミングを算出する代わりに、前記非画像領域が所定温度に維持されるように、加熱装置の点灯タイミングおよび消灯タイミングを算出することを特徴とする請求項５または６に記載の方法。
【請求項８】
印刷装置の電力供給を制御する電源制御装置が実行するプログラムであって、前記電源制御装置に、請求項５〜７のいずれか１項に記載の方法を実行させるためのプログラム。
【発明の詳細な説明】
【技術分野】
【０００１】
本発明は、印刷装置の消費電力の制御技術に関し、より詳細には、トナー定着時の消費電力量を低減する電源制御装置、印刷装置、方法およびプログラムに関する。
【背景技術】
【０００２】
従来、レーザプリンタ等のトナー方式の印刷装置は、ヒータで熱した定着ベルトと加圧装置で印刷媒体を押圧することによって印刷媒体に付着したトナーを定着させる。通常、ヒータは発熱に多量の電力を消費するため、トナーの定着を行うときに印刷装置の電力消費量が急激に増加し、商用電源の電圧が降下して電圧フリッカが生じるという問題があった。
【０００３】
この点に関し、特許文献１が開示するヒータ制御装置は、複数のヒータを点灯させる場合に、これらのヒータへ同時には通電させず、通電タイミングをずらして個別に点灯させることにより、ヒータの点灯による電圧フリッカを抑制することを図っている。
【発明の概要】
【発明が解決しようとする課題】
【０００４】
しかしながら、特許文献１が開示するヒータ制御装置は、複数のヒータを用いて定着ベルトを加熱する際に、ヒータの点灯タイミングや消灯タイミングを単に画一的にずらす構成を採用するため、トナーが付着していない非画像領域に接する定着ベルトを不要に加熱させるという問題があった。
【０００５】
より詳細には、特許文献１が開示するヒータ制御装置では、図６に示す印刷対象の画像パターンを印刷する場合、印刷媒体上の画像領域に接する定着ベルトを加熱するヒータ７〜９の点灯タイミングおよび消灯タイミングをずらして電圧フリッカを抑制する。しかしながら、特許文献１が開示する方法では、これらのヒータの点灯による電力変動が小さく電圧フリッカへの影響が少ない場合でも、点灯タイミングおよび消灯タイミングをずらして、非画像領域である印刷媒体の領域外に対応する定着ベルトを不要に加熱してしまうため、電力を無駄に消費するという問題があった。
【０００６】
本発明は、上記従来技術の問題に鑑みてなされたものであり、トナーの定着時にヒータの点灯による電圧フリッカを抑制すると共に、ヒータの電力消費量を効果的に削減する電源制御装置、印刷装置、方法およびプログラムを提供することを目的とするものである。
【課題を解決するための手段】
【０００７】
上記課題を解決するために、本発明の電源制御装置は、画像情報に基づいて、加熱装置によって印刷媒体上の画像領域が加熱され、かつ、非画像領域が加熱されないように、加熱装置の点灯タイミングおよび消灯タイミングを算出する。そして、本発明の電源制御装置は、当該点灯タイミングおよび消灯タイミングで駆動する加熱装置が消費する電力の変化量を算出し、電力の変化量を最大にする複数の加熱装置を特定して複数のグループに分類し、分類した加熱装置の点灯タイミングおよび消灯タイミングをグループ毎に変更する。
【発明の効果】
【０００８】
本発明の電源制御装置は、上記構成要件を採用することにより、トナーの定着時に加熱装置の点灯による電圧フリッカを抑制すると共に、画像領域に接する定着装置のみを加熱して加熱装置の電力消費量を効果的に削減することができる。
【図面の簡単な説明】
【０００９】
【図１】本発明のＰＳＵ制御装置が組み込まれる印刷装置の内部機構を示す概略図。
【図２】本発明のＰＳＵ制御装置の機能構成を示す図。
【図３】図２に示すＰＳＵ制御装置が実行する処理を示すフローチャート。
【図４】ヒータの点灯タイミングおよび消灯タイミングの算出方法を示す概念図。
【図５】ヒータへの電力供給の状態を示す図。
【図６】従来技術によるヒータの点灯タイミングおよび消灯タイミング制御を示す図。
【発明を実施するための形態】
【００１０】
以下、本発明について実施形態をもって説明するが、本発明は、後述する実施形態に限定されるものではない。図１は、本発明のＰＳＵ（Power Supply Unit）制御装置が組み込まれる印刷装置の内部機構を示す概略図である。
【００１１】
図１に示す印刷装置は、ＰＳＵ制御装置１００と、ＰＳＵ１０２と、ヒータ１１０と、定着ベルト１２０と、加圧ローラ１３０とを含む。
【００１２】
ＰＳＵ制御装置１００は、用紙等の印刷媒体１４０に形成される画像の情報（以下、「画像情報」とする。）に基づいて電力供給装置であるＰＳＵ１０２を制御する電源制御装置である。ＰＳＵ制御装置１００は、トナーが付着された印刷媒体１４０の画像領域が定着ベルト１２０によって熱せられるように、ヒータ１１０への電力供給の開始および終了タイミングを算出し、ＰＳＵ１０２にヒータ１１０への電力供給の開始および終了を指示する。
【００１３】
ＰＳＵ１０２は、ＰＳＵ制御装置１００の制御下でヒータ１１０に電力を供給する電力供給装置である。ＰＳＵ１０２は、交流電源（図示せず）に接続されており、ＰＳＵ制御装置１００が指示するタイミングで、ヒータ１１０の各ヒータに対する電力供給を開始または終了する。
【００１４】
ヒータ１１０は、定着ベルト１２０を加熱する加熱装置である。ヒータ１１０は、定着ベルト１２０の長手方向に配列された複数のヒータで構成される。各ヒータはＰＳＵ１０２から電力が供給されると、それぞれ個別に発熱し、定着ベルト１２０の表面部を加熱する。
【００１５】
定着ベルト１２０は、印刷媒体１４０に付着したトナーを熱と圧力によって定着させる定着装置である。加圧ローラ１３０は、印刷媒体１４０を加圧する加圧装置である。ヒータ１１０によって加熱された定着ベルト１２０の表面部と加圧ローラ１３０とが印刷媒体１４０を加圧することにより、トナーが印刷媒体１４０に定着する。
【００１６】
図２は、本発明のＰＳＵ制御装置の機能構成を示す図である。以下、図２を参照して、ＰＳＵ制御装置１００の機能構成について説明する。
【００１７】
ＰＳＵ制御装置１００は、制御部２００と、タイミング算出部２０１と、電力変化量算出部２０２と、分類部２０３と、タイミング変更部２０４と、点灯時間最適化部２０５とを備える。ＰＳＵ制御装置１００は、ＣＰＵやＲＯＭ、ＲＡＭ、Ｉ／Ｏインタフェース等を備える半導体集積回路によって実現することができる。
【００１８】
制御部２００は、ＰＳＵ制御装置１００の制御手段である。制御部２００は、後述する機能部を使用して、ＰＳＵ１０２によるヒータ１１０への電力供給を制御する。
【００１９】
タイミング算出部２０１は、画像情報に基づいて、ヒータ１１０への電力供給の開始タイミングおよび停止タイミング、すなわち、ヒータの点灯タイミングおよび消灯タイミングを算出する手段である。
【００２０】
本実施形態では、タイミング算出部２０１は、印刷媒体１４０の画像領域に接する定着ベルト１２０が加熱され、かつ、印刷媒体１４０の非画像領域に接する定着ベルト１２０が加熱されないように、ヒータ１１０の点灯タイミングおよび消灯タイミングを算出する。
【００２１】
他の実施形態では、タイミング算出部２０１は、定着ベルト１２０の表面温度を検知し、印刷媒体１４０の画像領域に接する定着ベルト１２０が加熱され、印刷媒体１４０の非画像領域に接する定着ベルト１２０の温度が所定の温度に維持されるように、ヒータ１１０の点灯タイミングおよび消灯タイミングを算出してもよい。
【００２２】
電力変化量算出部２０２は、ヒータ１１０の消費電力の変化量を算出する手段である。電力変化量算出部２０２は、タイミング算出部２０１が算出した点灯タイミングおよび消灯タイミングで駆動するヒータ１１０の消費電力の変化量を算出する。
【００２３】
分類部２０３は、電力変化量を最大にするヒータ群を特定し、当該ヒータ群を複数のグループに分類する手段である。分類部２０３は、電力変化量算出部２０２が算出した点灯タイミングおよび消灯タイミングでヒータ１１０を駆動した場合に、電力変化量を最大にするヒータ群を特定し、当該ヒータ群を任意の数のグループに分類する。
【００２４】
タイミング変更部２０４は、分類部２０３によって分類されたヒータの点灯タイミングおよび／または消灯タイミングを変更する手段である。タイミング変更部２０４は、分類されたヒータの点灯タイミングを所定時間ずらし、グループ毎に点灯タイミングを変更する。
【００２５】
また、タイミング変更部２０４は、変更した点灯タイミングおよび／または消灯タイミングでヒータ１１０を駆動した場合に、印刷媒体１４０に付着しているトナーが定着ベルト１２０によって正しく熱処理されるか判断する。トナーが定着ベルト１２０によって正しく熱処理されないと判断した場合には、タイミング変更部２０４は、トナーが正しく熱処理されるように当該ヒータの点灯タイミングおよび／または消灯タイミングを変更する。
【００２６】
点灯時間最適化部２０５は、ヒータ１１０の点灯時間を最適化する手段である。点灯時間最適化部２０５は、ヒータ１１０の点灯時間がタイミング算出部２０１の算出した当初の点灯時間よりも長くならないように、ヒータ１１０の点灯タイミングおよび消灯タイミングを所定時間ずらし、点灯時間を最適化する。
【００２７】
図３は、本発明のＰＳＵ制御装置が実行する処理を示すフローチャートである。以下、図３を参照して、印刷媒体１４０に付着したトナーを定着させる場合に、ＰＳＵ制御装置１００が実行する処理について説明する。
【００２８】
図３の処理は、ステップＳ３００から開始し、ステップＳ３０１でＰＳＵ制御装置１００のタイミング算出部２０１が、画像情報に基づいて、ヒータ１１０の点灯タイミングおよび消灯タイミングを算出する。ステップＳ３０２では、電力変化量算出部２０２が、ヒータ１１０の点灯タイミングおよび消灯タイミングによってヒータを駆動した場合の消費電力の変化量を算出する。
【００２９】
ステップＳ３０３では、制御部２００が、ステップＳ３０２で算出した消費電力の変化量のうち最大の電力変化量を特定し、当該最大の電力変化量が所定の閾値を超えるか否か判断する。所定の閾値は、電圧フリッカが発生しない電力変化量とすることが好適である。
【００３０】
最大の電力変化量が所定の閾値を超えない場合には（ｎｏ）、ステップＳ３１２に処理が分岐する。一方、最大の電力変化量が所定の閾値を超える場合には（ｙｅｓ）、ステップＳ３０４に処理が分岐する。
【００３１】
ステップＳ３０４では、分類部２０３が、電力変化量を最大にするヒータ群を特定し、当該ヒータ群を複数のグループに分類する。ステップＳ３０５では、タイミング変更部２０４が、分類されたグループ毎に点灯タイミングおよび／または消灯タイミングを所定時間ずらして、ヒータ１１０の点灯タイミングおよび／または消灯タイミングをグループ毎に変更する。ステップＳ３０６では、タイミング変更部２０４は、変更後の点灯タイミングおよび／または消灯タイミングで駆動されるヒータ１１０によって加熱された定着ベルト１２０によって、印刷媒体１４０に付着しているトナーが正しく熱処理されるか否か判断する。
【００３２】
本実施形態では、タイミング変更部２０４は、変更後の点灯タイミングおよび変更前の消灯タイミングを使用して点灯時間を算出し、画像情報、変更後の点灯タイミング、点灯時間、および定着ベルト１２０の回転速度等を使用して、印刷媒体１４０に付着しているトナーが定着ベルト１２０によって正しく熱処理されるか否か判断することができる。
【００３３】
ステップＳ３０６で変更後のタイミングで正しく熱処理されると判断した場合には（ｙｅｓ）、ステップＳ３０８に処理が分岐する。一方、変更後のタイミングで正しく熱処理されないと判断した場合には（ｎｏ）、ステップＳ３０７に処理が分岐する。ステップＳ３０７では、タイミング変更部２０４は、印刷媒体１４０に付着しているトナーが定着ベルト１２０によって正しく熱処理されるように、ヒータ１１０の点灯タイミングおよび／または消灯タイミングを変更する。
【００３４】
ステップＳ３０８では、制御部２００は、点灯タイミングおよび／または消灯タイミングの変更によって、ヒータ１１０の点灯時間が増加するか否か判断する。制御部２００は、ステップＳ３０１で算出した点灯タイミングおよび消灯タイミングを使用して変更前の点灯時間を算出すると共に、ステップＳ３０５およびステップＳ３０７で変更した点灯タイミングおよび／または消灯タイミングを使用して、変更後の点灯時間を算出し、ヒータ１１０の点灯時間が増加するか否か判断することができる。
【００３５】
ヒータの点灯時間が増加しないと判断した場合には（ｎｏ）、ステップＳ３１２に処理が分岐する。一方、ヒータの点灯時間が増加すると判断した場合には（ｙｅｓ）、ステップＳ３０９に処理が分岐する。
【００３６】
ステップＳ３０９では、点灯時間最適化部２０５が、点灯時間の増加したヒータ１１０の点灯タイミングおよび／または消灯タイミングを所定時間ずらし、当該ヒータの点灯時間を最適化する。ステップＳ３１０では、制御部２００が、当該ヒータの最適化前の点灯時間と最適化前の点灯時間とを比較し、点灯時間が減少したか否か判断する。点灯時間が減少した場合には（ｙｅｓ）、ステップＳ３１２に処理が分岐する。一方、点灯時間が減少しない場合には（ｎｏ）、ステップＳ３１１に処理が分岐する。
【００３７】
ステップＳ３１１では、制御部２００は、点灯時間の最適化の回数が上限値に達したか否か判断する。本実施形態では、任意の回数を上限値とすることができる。点灯時間の最適化の回数が上限値に達していない場合には（ｎｏ）、ステップＳ３０９に処理が分岐し、ステップＳ３０９およびステップＳ３１０の処理を反復する。一方、点灯時間の最適化の回数が上限値に達した場合には（ｙｅｓ）、ステップＳ３１２に処理が分岐する。
【００３８】
ステップＳ３１２では、制御部２００が、上述した処理によって算出したグループ毎の点灯タイミングおよび消灯タイミングに基づいて、ＰＳＵ１０２によるヒータ１１０への電力供給の開始および停止を制御し、ステップＳ３１３で処理が終了する。
【００３９】
図４は、ヒータ１１０の点灯タイミングおよび消灯タイミングの算出方法を示す概念図である。以下、図４を参照して、ヒータ１１０の点灯タイミングおよび消灯タイミングの算出方法について説明する。
【００４０】
印刷媒体４００は、画像情報に基づいてトナーが付着された印刷媒体である。ＰＳＵ制御装置１００は、当該画像情報に基づいて、トナーが付着した印刷媒体４００の画像領域に接する定着ベルト１２０が加熱されるように、ヒータ１１０の点灯タイミングおよび消灯タイミングを算出し、当該点灯タイミングおよび消灯タイミングでヒータ１１０を駆動した場合の消費電力の変化量を算出する。
【００４１】
加熱領域マップ４１０は、当該点灯タイミングおよび消灯タイミングで駆動したヒータ１１０によって加熱される定着ベルト１２０の加熱領域を示す。図４に示す実施形態では、加熱領域マップ４１０の白抜き以外の四角形領域がヒータ１１０によって加熱される部分に該当する。
【００４２】
例えば、印刷媒体４００の第１行第１列はトナーが付着していない非画像領域であるため、当該非画像領域に対応する定着ベルト１２０上の第１行第１列部分は加熱されない。一方、印刷媒体４００の第１行第２列はトナーが付着している画像領域であるため、当該画像領域に対応する定着ベルト１２０上の第１行第２列部分は加熱される。
【００４３】
本実施形態では、ヒータ１１０を構成する各ヒータは、それぞれ定着ベルト１２０の１列を加熱するものとし、各ヒータの消費電力量を１００Ｗとする。加熱領域マップ４１０では、例えば、定着ベルト１２０の第１行部分を加熱するのに必要な電力は７００Ｗであり、このときの電力変化量は＋７００Ｗとなる。また、第２行部分を加熱するのに必要な電力は７００Ｗであり、このときの電力変化量は、第１行部分と第２行部分の消費電力量（７００Ｗ）の差分になるため±０Ｗである。
【００４４】
同様に、総ての行部分について消費電力量を算出し、最大電力変化量を特定する。加熱領域マップ４１０では、最大電力変化量が７００Ｗであり、当該最大電力変化量は、所定の閾値（例えば、４００Ｗ）を超えると仮定して説明を続ける。
【００４５】
最大電力変化量が所定の閾値を超える場合、ＰＳＵ制御装置１００は、電力変化量を最大にするヒータ群を特定する。本実施形態では、定着ベルト１２０の第１行第２列〜第８列部分を加熱するヒータが該当し、これらのヒータが３つのグループに分類される。ＰＳＵ制御装置１００は、これらのヒータの点灯タイミングおよび消灯タイミングをグループ毎に所定時間ずらして変更する。
【００４６】
加熱領域マップ４２０は、第１のヒータグループ、第２のヒータグループおよび第３のヒータグループの点灯タイミングおよび消灯タイミングを変更したものである。ＰＳＵ制御装置１００は、これらのヒータの点灯タイミングおよび消灯タイミングを変更すると、印刷媒体４００に付着したトナーが定着ベルト１２０によって正しく熱力処理されるか判断する。
【００４７】
正しく熱力処理されないと判断した場合には、ＰＳＵ制御装置１００は、印刷媒体４００に付着したトナーが定着ベルト１２０によって正しく熱力処理されるように、ヒータの点灯タイミングおよび消灯タイミングを変更して加熱領域を変更する。本実施形態では、第２のヒータグループの加熱領域４２２と、第３のヒータグループの加熱領域が変更される。
【００４８】
本実施形態では、加熱領域マップ４２０に示すように、電力変化量を最大にするヒータ群の点灯タイミングおよび消灯タイミングを変更することにより、電力変化量の最大値を７００Ｗから３００Ｗに低減でき、電圧フリッカを効果的に抑制することができる。
【００４９】
次いで、ＰＳＵ制御装置１００は、ヒータ１１０の点灯時間を最適化する。図４に示す実施形態では、加熱領域マップ４１０に示す加熱領域４１２が、加熱領域マップ４２０に示す加熱領域４２２に拡大している。このため、ＰＳＵ制御装置１００は、加熱領域マップ４３０に示すように、第２のヒータグループの点灯タイミングおよび消灯タイミングを、さらに所定時間ずらすことにより、第２のヒータグループの点灯時間を最適化する。これにより、第２のヒータグループの加熱領域４２２が加熱領域４３２に減少し、電力消費量を一層効果的に低減することができる。
【００５０】
本発明では、図４に示すように、印刷媒体４００の画像領域に接する定着ベルト部分のみを加熱するため、電力消費量を効果的に低減することができる。
【００５１】
図５は、ヒータ１１０への電力供給の状態を示す図である。以下、図５を参照して、図４に示す加熱領域マップ４３０に基づくヒータ１１０への電力供給について説明する。
【００５２】
ＰＳＵ１０２は、ヒータ１１０の各ヒータに対応するヒータトリガおよびトライアックまたはＦＥＴ（Field Effect Transistor）を備えており、ＰＳＵ制御装置１００がヒータトリガをＯＮにすることにより、トライアックまたはＦＥＴが各ヒータに電力を供給する。ＰＳＵ制御装置１００は、商用電源電圧に同期したゼロクロス信号に同期して、ヒータトリガをＯＮ／ＯＦＦ制御する。
【００５３】
図５に示す実施形態では、まず、ＰＳＵ制御装置１００は、第１のヒータグループに対応するＰＳＵ１０２のヒータトリガをＯＮにし、ＰＳＵ１０２のトライアックが第１のヒータグループへの電力供給を開始する。
【００５４】
次に、ＰＳＵ制御装置１００は、当該電力供給の開始から所定時間が経過すると、第２のヒータグループに対応するＰＳＵ１０２のヒータトリガをＯＮにし、ＰＳＵ１０２のトライアックまたはＦＥＴが第２のヒータグループへの電力供給を開始する。本実施形態では、ゼロクロス信号の２つ分の時間をずらし量として採用するが、ずらし量が１制御周期未満である限り、任意の時間をずらし量として採用することができる。
【００５５】
さらに、ＰＳＵ制御装置１００は、当該電力供給の開始から所定時間が経過すると、第３のヒータグループに対応するＰＳＵ１０２のヒータトリガをＯＮにし、ＰＳＵ１０２のトライアックまたはＦＥＴが第３のヒータグループへの電力供給を開始する。
【００５６】
加熱領域マップ４３０では、第１のヒータグループ、第２のヒータグループおよび第３のヒータグループは、それぞれ定着ベルト１２０上の４行分の領域、３行分の領域および２行分の領域を加熱する。また、本実施形態では、１の制御周期で１行分の領域を加熱するものとする。このため、第１のヒータグループ、第２のヒータグループおよび第３のヒータグループへの電力供給は、それぞれ４の制御周期分の時間、３の制御周期分の時間、２の制御周期分の時間継続される。
【００５７】
上述した実施形態では、トライアックを用いたヒータ制御の例であるが、他の実施形態では、トライアックの代わりにＦＥＴを用いてヒータ制御をしてもよい。ＦＥＴを使用した場合、ゼロクロス信号周期よりも細かい時間でヒータ制御が可能となる。
【００５８】
これまで本実施形態につき説明してきたが、本発明は、上述した実施形態に限定されるものではなく、本実施形態の構成要素を変更若しくは削除し、または本実施形態の構成要素に他の構成要素を追加するなど、当業者が想到することができる範囲内で変更することができ、いずれの態様においても本発明の作用効果を奏する限り、本発明の範囲に含まれるものである。
【符号の説明】
【００５９】
１００…ＰＳＵ制御装置、１０２…ＰＳＵ、１１０…ヒータ、１２０…定着ベルト、１３０…加圧ローラ、１４０…印刷媒体
【先行技術文献】
【特許文献】
【００６０】
【特許文献１】特開２００３−２１７７９３号公報
【図１】
2015059992.tif 000003
【図２】
2015059992.tif 000004
【図３】
2015059992.tif 000005
【図４】
2015059992.tif 000006
【図５】
2015059992.tif 000007
【図６】
2015059992.tif 000008